(57)【要約】【課題】各検体収容部に対応させた情報を記入できまた、カセットを積み重ねたときには積み重ね部分が密着しないカセットを提供する。【解決手段】カセットＣは、カセット本体１と蓋体２を備え、カセット本体１には上面板１１が二箇所に設けてある。上面板１１には複数の検体収容部１４が設けてあり、その外側には傾斜面で形成された副情報記入部１２が設けてある。上面板１１と副情報記入部１２の境界部である境界線１１１の内側は蓋体２を装着する蓋装着部１１２である。蓋体２はカセット本体１の蓋装着部１１２に装着できる基板２０を有し、基板２０は副情報記入部１２を覆うことがないように形成してある。基板２０にはスペーサ２１、２２が上方へ突出して設け、基板２０には収容蓋部２６が設けてあり、その上面には突起２６２が設けてある。【選択図】図１
2006113080.tif 000002
【特許請求の範囲】
【請求項１】
病理組織検査用カセットであって、
複数の検体収容部を有するカセット本体と、
当該カセット本体に着脱可能に装着される蓋体と、
を備えており、
上記カセット本体の上面側には、上記検体収容部ごとに検体を識別するための情報記入手段が設けてあり、かつ当該情報記入手段は、当該情報記入手段に記入された情報が閉蓋状態でも視認できるように構成されていることを特徴とする、  病理組織検査用カセット。
【請求項２】
病理組織検査用カセットであって、
カセット本体と、
当該カセット本体に着脱可能に装着される蓋体と、
を備えており、
閉蓋状態のカセットの上にカセット本体の底部を積重したときに、下側のカセットと上側のカセット本体との間に通液部が形成されるように構成されていることを特徴とする、
病理組織検査用カセット。
【請求項３】
病理組織検査用カセットであって、
上面側に蓋装着部を有し、底部に通液孔が設けてある所要数の検体収容部を有するカセット本体と、
当該カセット本体の上記蓋装着部に着脱可能で、通液孔が設けてある蓋体と、を備えており、
上記カセット本体の上面側には、上記検体収容部に対応する情報記入部が設けてあり、
上記蓋体は、上記カセット本体の上記蓋装着部に装着したときに上記情報記入部を覆うことがないように形成してあることを特徴とする、
病理組織検査用カセット。
【請求項４】
病理組織検査用カセットであって、
上面側に蓋装着部を有し、底部に通液孔が設けてある所要数の検体収容部を有するカセット本体と、
当該カセット本体の上記蓋装着部に着脱可能で、通液孔が設けてある蓋体と、を備えており、
上記カセット本体または上記蓋体に、上記病理組織検査用カセットを積み重ねたときに、積み重ね部分で通液可能にする通液部形成手段が設けてあることを特徴とする、
病理組織検査用カセット。
【請求項５】
病理組織検査用カセットであって、
上面側に蓋装着部を有し、底部に通液孔が設けてある所要数の検体収容部を有するカセット本体と、
当該カセット本体の上記蓋装着部に着脱可能で、通液孔が設けてある蓋体と、を備えており、
上記カセット本体は、前部に主情報記入部を有し、上記蓋装着部の縁部には、上記検体収容部に対応する副情報記入部が設けてあり、
上記蓋体は、上記カセット本体の上記蓋装着部に装着したときに上記副情報記入部を覆うことがないように形成してあり、
上記蓋体の上面部には、上記病理組織検査用カセットを積み重ねたときに、積み重ね部分に隙間を形成するスペーサが設けてあることを特徴とする、
病理組織検査用カセット。
【発明の詳細な説明】
【技術分野】
【０００１】
本発明は病理組織検査用カセットに関する。更に詳しくは、検体収容部ごとに検体を識別するための情報記入ができ、かつ閉蓋状態でもその記入部が視認できる病理組織検査用カセット及び薬液に浸漬するときに複数のカセットを縦横に密着させても薬液が内部に入りやすい病理組織検査用カセットに関する。
【背景技術】
【０００２】
病理組織を検査するための標本をつくるために、病理組織検査用カセット（以下、カセットという）が使用されている。カセットを使用して、例えば生検検査標本をつくる工程は次のとおりである。
(1)  検体をカセットに収容し、ホルマリン等の固定液に浸漬し、組織に固定液を浸透させ組織の腐敗を防止する。
(2)  (1)の固定液を水道水等で除去する。
(3)  濃度の異なる数種のアルコールに浸して組織細胞内に含まれる水分を除去する。
(4)  このアルコールと、最終的に浸透させるパラフィンとは混合しないので、仲介剤として、その双方に混合することができるキシレンやクロロホルム等を浸透させる。
(5)  溶融パラフィンに浸して、パラフィンを組織内に浸透させる。
(6)  薬液処理した検体をカセットから取り出し、パラフィンブロックをつくる。
(7)  パラフィンブロックを検体と共に薄切してスライドガラスに貼付し、顕微鏡などにより病状等の検査を行う。
【０００３】
従来のカセットの一例を図４に示す。図に示すものは、特開平８−２８５７４５号公報に記載されたカセットである。当該カセット４は、カセット本体４１を備えている。カセット本体４１は、内部を区画して形成された所要数の検体収容部４２が設けてあり、その底部には多数の通液孔を有する。また、カセット本体４１の前部及び側部には、情報記入部４３、４４が設けてある。カセット本体４１の上部開口部４５には、多数の通液孔を有する蓋体４６が開閉可能に設けてある。
【特許文献１】特開平８−２８５７４５号公報
【発明の開示】
【発明が解決しようとする課題】
【０００４】
上記公報記載のカセットは、病理組織の標本をつくる上で十分に有用ではあるが、次のような課題もあった。
（ａ）特に生検においては、例えば一つの臓器から採取する場合においても、場所を変えて複数の生体組織を採取して検査を行う。この場合は、カセット本体の検体収容部それぞれに異なる検体を収容するが、間違いのないように各検体収容部ごとに検体の内容が分かるようにする必要がある。
従来のカセット本体の前部及び側部には情報記入部が設けてあるが、前部の情報記入部はどの検体収容部に対応するでもなく設けられているので、各検体収容部に対応させた情報を記入しなければならない場合には使いにくい。
また、カセット本体の側部に設けてある情報記入部は、記入面が縦になっているので、開蓋して検体を収容した状態では検体がこぼれる心配があり、記入がしにくい。更には、記入後、記入面が上面側から見えないので、視認がしにくい。
【０００５】
（ｂ）上記したように、標本をつくる工程においては、検体を収容したカセットを薬液に浸漬する作業が数回行われる。この作業では、多数のカセットをまとめて浸漬することもあり、その場合、カセットは積み重ねられたり横方向に密着されて液槽に収容されることになる。
従来のカセットは、蓋体上面及び本体底面共に平面状であるので、例えばカセットを積み重ねたときには、積み重ね部分が密着してしまい、薬液が入ることができない。
従って、他のカセットで上下に挟まれたカセットには、他のカセットを通ってきた薬液が入ることになり、薬液がカセット内部に速やかに入ることができないので、薬液処理能力の低下、ひいては作業効率の低下を招きやすい。
【０００６】
本発明は上記課題を解決するもので、カセットに、収容部の検体収容部ごとに検体を識別するための情報記入がしやすく、かつ閉蓋状態でも上面側からその情報が視認できる病理組織検査用カセットを提供することを目的とする。
また、薬液に浸漬するときに複数のカセットを縦横に密着させても薬液が内部に入りやすい病理組織検査用カセットを提供することを目的とする。
【課題を解決するための手段】
【０００７】
上記課題を解決するために講じた本発明の手段は次のとおりである。
第１の発明にあっては、
病理組織検査用カセットであって、
複数の検体収容部を有するカセット本体と、
当該カセット本体に着脱可能に装着される蓋体と、
を備えており、
上記カセット本体の上面側には、上記検体収容部ごとに検体を識別するための情報記入手段が設けてあり、かつ当該情報記入手段は、当該情報記入手段に記入された情報が閉蓋状態でも視認できるように構成されていることを特徴とする、  病理組織検査用カセットである。
【０００８】
第２の発明にあっては、
病理組織検査用カセットであって、
カセット本体と、
当該カセット本体に着脱可能に装着される蓋体と、
を備えており、
閉蓋状態のカセットの上にカセット本体の底部を積重したときに、下側のカセットと上側のカセット本体との間に通液部が形成されるように構成されていることを特徴とする、
病理組織検査用カセットである。
【０００９】
第３の発明にあっては、
病理組織検査用カセットであって、
上面側に蓋装着部を有し、底部に通液孔が設けてある所要数の検体収容部を有するカセット本体と、
当該カセット本体の上記蓋装着部に着脱可能で、通液孔が設けてある蓋体と、を備えており、
上記カセット本体の上面側には、上記検体収容部に対応する情報記入部が設けてあり、
上記蓋体は、上記カセット本体の上記蓋装着部に装着したときに上記情報記入部を覆うことがないように形成してあることを特徴とする、
病理組織検査用カセットである。
【００１０】
第４の発明にあっては、
病理組織検査用カセットであって、
上面側に蓋装着部を有し、底部に通液孔が設けてある所要数の検体収容部を有するカセット本体と、
当該カセット本体の上記蓋装着部に着脱可能で、通液孔が設けてある蓋体と、を備えており、
上記カセット本体または上記蓋体に、上記病理組織検査用カセットを積み重ねたときに、積み重ね部分で通液可能にする通液部形成手段が設けてあることを特徴とする、
病理組織検査用カセットである。
【００１１】
第５の発明にあっては、
病理組織検査用カセットであって、
上面側に蓋装着部を有し、底部に通液孔が設けてある所要数の検体収容部を有するカセット本体と、
当該カセット本体の上記蓋装着部に着脱可能で、通液孔が設けてある蓋体と、を備えており、
上記カセット本体は、前部に主情報記入部を有し、上記蓋装着部の縁部には、上記検体収容部に対応する副情報記入部が設けてあり、
上記蓋体は、上記カセット本体の上記蓋装着部に装着したときに上記副情報記入部を覆うことがないように形成してあり、
上記蓋体の上面部には、上記病理組織検査用カセットを積み重ねたときに、積み重ね部分に隙間を形成するスペーサが設けてあることを特徴とする、
病理組織検査用カセットである。
【００１２】
情報記入部が設けられる箇所は、カセット本体の上面側であれば特に限定されず、上面側の縁部に設けてもよいし、中央部分に設けてもよい。
通液部形成手段としては、例えば、蓋体上面側にスペーサを設けたもの、カセット本体底部にスペーサを設けたもの、カセット上面から突出した蓋体の側部に切り欠きを設けたもの、蓋体の幅をカセット本体の幅より狭く形成して両側に開口部を設けたもの、あるいはそれらを複合したもの等があげられる。
【００１３】
（作用）
カセット本体の上面側に、検体収容部に対応する情報記入部が設けてあり、蓋体はカセット本体の蓋装着部に装着したときに、情報記入部を覆うことがないように形成してあるものにあっては、各検体収容部ごとに情報記入をする際に、カセット本体を底面を下にして載置した状態で記入することができるので、記入しやすく、検体収容部に収容した検体が開蓋状態においてもこぼれる心配はない。また、上面側から情報記入部が見えるので、情報の内容も視認しやすい。
従って、検体収容部それぞれに種類の異なる検体を収容している場合、各検体収容部ごとに情報記入をすることにより検体を確実に識別でき、検査する検体の間違いを防止することができる。
【００１４】
カセット本体または蓋体に、病理組織検査用カセットを積み重ねたときに、積み重ね部分で通液可能にする通液部形成手段が設けてあるものにあっては、カセットを薬液に浸漬する作業において多数のカセットを積み重ねて浸漬する場合にも、通液部によって薬液が各カセット内部にスムーズに流通する。従って、薬液が各カセット内部に速やかに入り、作業効率が向上する。
【発明の効果】
【００１５】
本発明は上記構成を備えており、次の効果を有する。
（ａ）カセット本体の上面側の検体収容部に対応する情報記入部が設けてあり、蓋体はカセット本体の蓋装着部に装着したときに、情報記入部を覆うことがないように形成してあるカセットにあっては、各検体収容部ごとに情報記入をする際にカセット本体を底面を下にして載置した状態で記入することができるので、記入しやすく、検体収容部に収容した検体が開蓋状態においてもこぼれる心配はない。また、上面側から情報記入部が見えるので、情報の内容も視認しやすい。
従って、検体収容部それぞれに種類の異なる検体を収容している場合、各検体収容部ごとに情報記入をすることにより検体を確実に識別でき、検査する検体の間違いを防止することができる。
【００１６】
（ｂ）カセット本体または蓋体に、病理組織検査用カセットを積み重ねたときに積み重ね部分で通液可能にする通液部形成手段が設けてあるカセットにあっては、カセットを薬液に浸漬する作業において多数のカセットを積み重ねて浸漬する場合にも、通液部によって薬液が各カセット内部にスムーズに流通する。従って、薬液が各カセット内部に速やかに入り、作業効率が向上する。
【００１７】
（ｃ）カセット本体の上面側の検体収容部に対応する、主情報記入部及び副情報記入部が設けてあり、蓋体はカセット本体の蓋装着部に装着したときに、副情報記入部を覆うことがないように形成してあり、更に、蓋体に、病理組織検査用カセットを積み重ねたときに積み重ね部分で通液可能にするスペーサが設けてあるものにあっては、上記（ａ）、（ｂ）の効果を合せ持つカセットを提供することができる。
【発明を実施するための最良の形態】
【００１８】
本発明を図面に示した実施例に基づき更に詳細に説明する。
図１は本発明に係るカセットの一実施の形態を示す分解斜視図、図２は図１におけるＡ−Ａ部分に対応しており、カセットを重ねた状態を想像線で表している断面図、図３はカセット本体の係合部と蓋体の係合爪の係合状態を示す断面説明図である。
符号Ｃは本発明に係るカセットであり、耐薬液性を有する合成樹脂により形成されている。カセットＣは、カセット本体１と、カセット本体１に着脱可能な蓋体２を備えている。
【００１９】
カセット本体１の上面側には、周縁部１０よりやや低く形成された上面板１１が、通液口１１０を介し、幅方向の二箇所に分割して設けてある。
上面板１１の幅方向の両縁部と周縁部１０の長辺部との間には、傾斜面で形成された副情報記入部１２が設けてある。副情報記入部１２には、鉛筆などで被検者名、番号等を記入することができるように、表面がいわばスリガラスの表面のような梨地状にやや粗く形成してある。
【００２０】
各副情報記入部１２は、後述する検体収容部１４に沿うように外側に設けてある。各副情報記入部１２には、それぞれ二箇所にエア抜き孔１３が貫通して設けてある。エア抜き孔１３は、パラフィン等の薬液に浸漬されたときに、断面形状が山型となっている副情報記入部１２と側板の裏側にエアが溜らないようにするものである。
なお、上記各上面板１１と各副情報記入部１２の境界部である境界線１１１の内側は後述する蓋体２を装着する蓋装着部１１２となっている。
【００２１】
各上面板１１には検体収容部１４が三箇所ずつ、合計六箇所に設けてある。検体収容部１４は、平面視八角形状で、下方へ向けて膨出形成された収容部壁１４０を有している。収容部壁１４０には、薬液等を通過させることができる多数の通液孔１４１が設けてある。
なお、通液孔１４１は、各収容部壁１４の壁面に対して垂直方向になるよう設けることもできるし、型抜きを容易にして成形工程を短縮する観点から、孔方向が垂直方向になるよう形成することもできる。
【００２２】
片側三個ずつ設けられている検体収容部１４の列の間には、上記したように通液口１１０が設けてある。通液口１１０は、薬液を多量に効率よく通過させるためのものである。更に、通液口１１０の下方には、パラフィンとの固着を補強するための補強梁１５を備えている。
また、カセット本体１の前部側には、傾斜面で形成された主情報記入部１６が設けられている。主情報記入部１６は、上記副情報記入部１２と同様に、表面がスリガラスの表面のような梨地状にやや粗く形成してある。なお、カセット本体１の両側の側面１６０も同様に仕上げてあり、書き込みが可能である。
【００２３】
そして、カセット本体１の後端面には、係合段部１７が全幅にわたり設けてある。カセット本体１の後端面には、案内部１８が二箇所に設けてある。各案内部１８は、後述する蓋体２の係合爪の位置に対応して、上面側を斜めに切り欠いて設けてある。なお、カセット本体１の前部側の主情報記入部１６の裏側には、後述する蓋体２の掛け爪が係合される係合部１９が設けてある。
【００２４】
蓋体２は、上記カセット本体１の蓋装着部１１２に嵌合して装着できる長方形状の基板２０を有しており、蓋装着部１１２に装着したときにカセット本体１の副情報記入部１２を覆うことがないように形成されている。
基板２０の長さ方向の両端部には、幅方向の全長にわたり、断面逆Ｌ状のスペーサ２１、２２が上方へ突出して設けてある。スペーサ２１、２２は、蓋体２を蓋装着部１１２に装着したときに、周縁部１０から、上方へやや突出する高さに形成してある。
前部側のスペーサ２１には、中央部に掛け爪２３が設けてある。また、後部側のスペーサ２２には摘み片２４が設けてある。摘み片２４には、係合爪２５が下方へ向けて二箇所に設けてある。
【００２５】
基板２０には、上記検体収容部１４に対応して六箇所に収容蓋部２６が設けてある。各収容蓋部２６は、平面視八角形状で、上方へ向けて膨出形成された蓋部壁２６０を有している。蓋部壁２６０には、薬液等を通過させることができる多数の通液孔２６１が設けてあり、上面には四箇所に突起２６２が設けてある。これらの突起２６２は、上記スペーサ２１、２２と同じ高さになるよう形成してある。なお、収容蓋部２６の列の間には、所要数の比較的大きな孔からなる通液口２７が設けてある。
【００２６】
（作  用）
図１ないし図３を参照して、本発明に係るカセットＣの作用を説明する。
カセット本体１と蓋体２は、いずれも耐薬液性を有する合成樹脂により形成されているため、カセットＣは検査標本完成までの間に用いられる薬液による影響を受けない。
カセット本体１に蓋体２が装着されて一体化することにより、六箇所の検体収容空間部３（図２に図示）が通液性を持ちながら区画されて独立する。
【００２７】
カセット本体１の蓋装着部１１２の縁部には、検体収容部１４に対応する位置に副情報記入部１２が設けてあり、蓋体２はカセット本体１の蓋装着部１１２に装着したときに、主情報記入部１６及び副情報記入部１２を覆うことがないように形成してあるので、各検体収容部１４ごとに情報記入をすることができ、各情報記入部１２の情報の内容も視認しやすい。
従って、検体収容部１４それぞれに種類の異なる検体を収容している場合、各検体収容部１４ごとに情報記入をすることにより検体を確実に識別でき、検査する検体の間違いを防止することができる。
【００２８】
また、蓋体２はカセット本体１へ係合するための係合爪２５を有しており、係合爪２５はカセット本体１の係合段部１７に外側から係合するように形成してあるので、摘み片２４の端縁部を上へ引き上げる動作をすると、蓋体２の端縁部が上方へ湾曲変形し（図３、仮想線部分参照）、係合爪２５が外側へ開いて係合段部１７との係合が容易に外れる。
従って、蓋体２の取り外しが衝撃を生じることなく穏やかにできるので、検体ブロックを検体収容部１４から取出す際に検体が飛び出してしまったり、カセットＣを検体ごと落としてしまうことも防止できる。
【００２９】
また、蓋体２の上面部に、カセットＣを積み重ねたときに、それらの間に通液可能な隙間Ｓ（図２参照）を形成するスペーサ２１、２２及び突起２６２が設けてあるので、カセットＣを薬液に浸漬する作業において多数のカセットＣを積み重ねて浸漬する場合にも、上記隙間Ｓによって薬液がスムーズに流通する。従って、薬液がカセットＣ内部に速やかに入り、作業効率が向上する。
【００３０】
更に、検体収容部１４の収容部壁１４０は膨出した形状であるため、単に平板状のものと比較して同じ投影面積であれば面積が広くなる。これにより、通液孔１４１の数を増やすことができ、薬液の通液性が向上し、通液量も増える。
【００３１】
上記工程によってパラフィンブロックをつくるときには、通液口１１０、２７が溶融パラフィンの湯道としての機能を果たし、包埋皿の隅々にまで溶融パラフィンが流れ込みやすくなる。更に、通液口１１０下部の補強梁１５はパラフィン硬化時にはパラフィン内部に埋設された状態で固着される。これにより、パラフィンとカセット本体１が強固に固着され、更にカセット本体１内のパラフィンとカセット本体１外のパラフィンの連結力が向上する。
【００３２】
パラフィンブロックのカセット本体１内のパラフィンとカセット本体１外のパラフィンの境界面、すなわち検体収容部１４の収容部壁１４０は凹凸面となるので、薄切作業時の横方向の力に強く、この点でもカセット本体１外のパラフィンの脱落は防止できる。
【００３３】
なお、本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【図面の簡単な説明】
【００３４】
【図１】本発明に係るカセットの一実施の形態を示す分解斜視図
【図２】図１におけるＡ−Ａ部分に対応しており、カセットを重ねた状態を想像線で表している断面図
【図３】カセット本体の係合部と蓋体の係合爪の係合状態を示す断面説明図
【図４】従来のカセットの一例を示す斜視図
【符号の説明】
【００３５】
Ｃ  カセット
１  カセット本体
１０  周縁部
１１  上面板
１１０  通液口
１２  副情報記入部
１３  エア抜き孔
１４  検体収容部
１１１  境界線
１１２  蓋装着部
１４０  収容部壁
１４１  通液孔
１５  補強梁
１６  主情報記入部
１７  係合段部
１８  案内部
１９  係合部
２  蓋体
２０  基板
２１、２２  スペーサ
２３  掛け爪
２４  摘み片
２５  係合爪
２６  収容蓋部
２６０  蓋部壁
２６１  通液孔
２６２  突起
２７  通液口
【図１】
2006113080.tif 000003
【図２】
2006113080.tif 000004
【図３】
2006113080.tif 000005
【図４】
2006113080.tif 000006
【手続補正書】
【提出日】平成18年2月16日(2006.2.16)
【手続補正１】
【補正対象書類名】特許請求の範囲
【補正対象項目名】全文
【補正方法】変更
【補正の内容】
【特許請求の範囲】
【請求項１】
病理組織検査用カセットであって、
カセット本体と、
当該カセット本体に着脱可能に装着される蓋体と、
を備えており、
閉蓋状態のカセットの上にカセット本体の底部を積重したときに、下側のカセットと上
側のカセット本体との間に通液部が形成されるように構成されていることを特徴とする、
病理組織検査用カセット。
【請求項２】
病理組織検査用カセットであって、
上面側に蓋装着部を有し、底部に通液孔が設けてある所要数の検体収容部を有するカセ
ット本体と、
当該カセット本体の上記蓋装着部に着脱可能で、通液孔が設けてある蓋体と、を備えて
おり、
上記カセット本体または上記蓋体に、上記病理組織検査用カセットを積み重ねたときに
、積み重ね部分で通液可能にする通液部形成手段が設けてあることを特徴とする、
病理組織検査用カセット。
【請求項３】
病理組織検査用カセットであって、
上面側に蓋装着部を有し、底部に通液孔が設けてある所要数の検体収容部を有するカセ
ット本体と、
当該カセット本体の上記蓋装着部に着脱可能で、通液孔が設けてある蓋体と、を備えて
おり、
上記カセット本体は、前部に主情報記入部を有し、上記蓋装着部の縁部には、上記検体
収容部に対応する副情報記入部が設けてあり、
上記蓋体は、上記カセット本体の上記蓋装着部に装着したときに上記副情報記入部を覆
うことがないように形成してあり、
上記蓋体の上面部には、上記病理組織検査用カセットを積み重ねたときに、積み重ね部
分に隙間を形成するスペーサが設けてあることを特徴とする、
病理組織検査用カセット。